(57)【要約】【課題】構造が簡素であって、ＴＰＯに合わせて、気軽に模様替えすることができる交換可能な眼鏡テンプルを提供すること。【解決手段】基端部にはフロント枠Ｆに連結される連結部材１１が配設され、かつ、先端部には掛止パーツ１２が形成されている一方、部材本体には掛合受部１３が形成され、かつ、この掛合受部１３と前記掛止パーツ１２との間に圧縮方向への付勢力をせしめるバネ部１４が配設されたジョイントパーツ１と；先端側に耳掛部２１を備え、かつ、部材本体に掛止部２２が設けられた耳鉉パーツ２とから構成されており、前記ジョイントパーツ１の掛合受部１３に前記耳鉉パーツ２の基端部２３が挿嵌して、かつ、掛止パーツ１２と掛止部２２とが掛合することによってこれら両部材を着脱自在に連結するという技術的手段を採用した。【選択図】　図１
2004117495.tif 000002
【特許請求の範囲】
【請求項１】
左右一対のレンズＬ・Ｌを連結保持して構成されるフロント枠Ｆの左右両側に配設される眼鏡テンプルであって、
基端部にはフロント枠Ｆに連結される連結部材１１が配設され、かつ、先端部には掛止パーツ１２が形成されている一方、
部材本体には掛合受部１３が形成され、かつ、この掛合受部１３と前記掛止パーツ１２との間に圧縮方向への付勢力をせしめるバネ部１４が配設されたジョイントパーツ１と；
先端側に耳掛部２１を備え、かつ、部材本体に掛止部２２が設けられた耳鉉パーツ２とから構成されており、
前記ジョイントパーツ１の掛合受部１３に前記耳鉉パーツ２の基端部２３が挿嵌して、かつ、掛止パーツ１２と掛止部２２とが掛合することによってこれら両部材が着脱自在に連結されていることを特徴とする交換可能な眼鏡テンプル。
【請求項２】
耳鉉パーツ２の掛止部２２に掛止孔２２ａが開設されており、この掛合孔２２ａにジョイントパーツ１の掛止パーツ１２が差し込まれることを特徴とする請求項１記載の交換可能な眼鏡テンプル。
【請求項３】
耳鉉パーツ２の掛止部２２に掛止突起２２ｂが形成されており、この掛合突起２２ｂにジョイントパーツ１の掛止パーツ１２が掛合されていることを特徴とする請求項１記載の交換可能な眼鏡テンプル。
【請求項４】
ジョイントパーツ１の掛止パーツ１２がフック形状であることを特徴とする請求項１〜３の何れか一つに記載の交換可能な眼鏡テンプル。
【請求項５】
耳鉉パーツ２の掛止部２２が括れ成形されており、この掛止部２２にジョイントパーツ１の掛止パーツ１２の掴み部が嵌着されたことを特徴とする請求項１記載の交換可能な眼鏡テンプル。
【請求項６】
ジョイントパーツ１の掛合受部１３が捩じりリング状に形成されており、この掛合受部１３に耳鉉パーツ２の基端部２３が挿嵌されたことを特徴とする請求項１〜５の何れか一つに記載の交換可能な眼鏡テンプル。
【請求項７】
耳鉉パーツ２の基端部２３には掛止スリット２３ａが形成されており、この掛止スリット２３ａをジョイントパーツ１の掛合受部１３に挟み掛合したことを特徴とする請求項１〜５の何れか一つに記載の交換可能な眼鏡テンプル。
【請求項８】
ジョイントパーツ１は弾性線材を一体にベンディング成形して作製されていることを特徴とする請求項１〜７の何れか一つに記載の交換可能な眼鏡テンプル。
【請求項９】
耳鉉パーツ２の軸心内部に補強用の芯金部材を封入したことを特徴とする請求項１〜８の何れか一つに記載の交換可能な眼鏡テンプル。
【発明の詳細な説明】
【０００１】
【発明の属する技術分野】
本発明は、眼鏡の改良、更に詳しくは、構造が簡素であって、ＴＰＯに合わせて、気軽に模様替えすることができる交換可能な眼鏡テンプルに関するものである。
【０００２】
【従来の技術】
周知のとおり、眼鏡の主要な機能は視力矯正機能であるが、この機能に加えて軽量性、耐久性、装飾性などを備えた眼鏡が求められており、特に近年、これらの機能のうち装飾機能が重要視される傾向にある。
【０００３】
ところで、眼鏡フレームのテンプルやエンドピースなどに装飾を施す方法としては、従来、テンプルを交換自由に構成したものがある（例えば、特許文献１参照。）。しかしながら、このような機構は、部材の製造の加工コストがかかってしまうという不満があった。
【０００４】
【特許文献１】
実用新案登録第３０４７７３１号公報
【０００５】
【発明が解決しようとする課題】
本発明は、上記欠点に鑑みて為されたものであり、その目的とするところは、構造が簡素であって、ＴＰＯに合わせて、気軽に模様替えすることができる交換可能な眼鏡テンプルを提供することにある。
【０００６】
【課題を解決するための手段】
本発明者が上記課題を解決するために採用した手段を添付図面を参照して説明すれば次のとおりである。
【０００７】
即ち、本発明は、左右一対のレンズＬ・Ｌを連結保持して構成されるフロント枠Ｆの左右両側に配設される眼鏡テンプルであって、
基端部にはフロント枠Ｆに連結される連結部材１１が配設され、かつ、先端部には掛止パーツ１２が形成されている一方、
部材本体には掛合受部１３が形成され、かつ、この掛合受部１３と前記掛止パーツ１２との間に圧縮方向への付勢力をせしめるバネ部１４が配設されたジョイントパーツ１と；
先端側に耳掛部２１を備え、かつ、部材本体に掛止部２２が設けられた耳鉉パーツ２とから構成されており、
前記ジョイントパーツ１の掛合受部１３に前記耳鉉パーツ２の基端部２３が挿嵌し
て、かつ、掛止パーツ１２と掛止部２２とが掛合することによってこれら両部材を着脱自在に連結するという技術的手段を採用した。
【０００８】
また、本発明は、上記課題を解決するために、必要に応じて上記手段に加え、耳鉉パーツ２の掛止部２２に掛止孔２２ａを開設し、この掛合孔２２ａにジョイントパーツ１の掛止パーツ１２を差し込むという技術的手段を採用した。
【０００９】
更にまた、本発明は、上記課題を解決するために、必要に応じて上記手段に加え、耳鉉パーツ２の掛止部２２に掛止突起２２ｂを形成し、この掛合突起２２ｂにジョイントパーツ１の掛止パーツ１２を掛合するという技術的手段を採用した。
【００１０】
更にまた、本発明は、上記課題を解決するために、必要に応じて上記手段に加え、ジョイントパーツ１の掛止パーツ１２をフック形状にするという技術的手段を採用した。
【００１１】
更にまた、本発明は、上記課題を解決するために、必要に応じて上記手段に加え、耳鉉パーツ２の掛止部２２を括れ成形し、この掛止部２２にジョイントパーツ１の掛止パーツ１２の掴み部を嵌着するという技術的手段を採用した。
【００１２】
更にまた、本発明は、上記課題を解決するために、必要に応じて上記手段に加え、ジョイントパーツ１の掛合受部１３を捩じりリング状に形成し、この掛合受部１３に耳鉉パーツ２の基端部２３を挿嵌するという技術的手段を採用した。
【００１３】
更にまた、本発明は、上記課題を解決するために、必要に応じて上記手段に加え、耳鉉パーツ２の基端部２３には掛止スリット２３ａを形成し、この掛止スリット２３ａをジョイントパーツ１の掛合受部１３に挟み掛合するという技術的手段を採用した。
【００１４】
更にまた、本発明は、上記課題を解決するために、必要に応じて上記手段に加え、ジョイントパーツ１を弾性線材を一体にベンディング成形して作製するという技術的手段を採用した。
【００１５】
更にまた、本発明は、上記課題を解決するために、必要に応じて上記手段に加え、耳鉉パーツ２の軸心内部に補強用の芯金部材を封入するという技術的手段を採用した。
【００１６】
【発明の実施の形態】
本発明の実施形態を具体的に図示した図面に基いて更に詳細に説明すると次のとおりである。
【００１７】
『第１実施形態』
本発明の第１実施形態を図１から図５に基いて説明する。図中、符号１で指示するものはジョイントパーツであり、このジョイントパーツ１は、基端部にはフロント枠Ｆに連結される連結部材１１が配設され、かつ、先端部には掛止パーツ１２が形成されている一方、部材本体には掛合受部１３が形成され、かつ、この掛合受部１３と前記掛止パーツ１２との間に圧縮方向への付勢力をせしめるバネ部１４（本実施形態ではβ−チタンなどの金属線材）が配設されている（本実施形態では、一体に成形した）。
【００１８】
また、符号２で指示するものは耳鉉パーツであり、この耳鉉パーツ２は、先端側に耳掛部２１を備え、かつ、部材本体に掛止部２２が設けられている。なお、本実施形態では、プラスチック材料（セルロースアセテート樹脂など）で成形する。
【００１９】
しかして、本実施形態は、図１に示すように左右一対のレンズＬ・Ｌを連結保持して構成されるフロント枠Ｆの左右両側に配設される眼鏡テンプルを交換可能に構成するものである。
【００２０】
具体的には、前記ジョイントパーツ１の掛合受部１３に前記耳鉉パーツ２の基端部２３を挿嵌するとともに、耳鉉パーツ２の掛止部２２に掛止孔２２ａが開設されており、この掛合孔２２ａにジョイントパーツ１の掛止パーツ１２を差し込むことによってこれら両部材を着脱自在に連結する。
【００２１】
また、本実施形態では、ジョイントパーツ１の掛合受部１３を捩じりリング状に形成して、この掛合受部１３に耳鉉パーツ２の基端部２３を挿嵌する。こうして、両部材を掛合してテンプルを構成することができる（図２および図３参照）。
【００２２】
なお、本実施形態の変形例として、図４および図５に示すように、ジョイントパーツ１の掛合受部１３を二重らせんリング状に形成し、この掛合受部１３に耳鉉パーツ２の基端部２３が挿嵌して、両部材を掛合してテンプルを構成することも可能である。
【００２３】
『第２実施形態』
次に、本発明の第２実施形態を図６および図７に基いて説明する。本実施形態では、耳鉉パーツ２の掛止部２２に掛止突起２２ｂを形成し、この掛合突起２２ｂにジョイントパーツ１の掛止パーツ１２を掛合する。この際、ジョイントパーツ１の掛止パーツ１２をフック形状にすることができる。また、図６で示すものは、ジョイントパーツ１に穿孔された掛合受部１３に、耳鉉パーツ２の基端部２３を挿嵌して構成したものであり、図７で示すものは、突設された掛合受部１３に基端部２３を被せるようにして挿嵌して構成したものである。
【００２４】
本実施形態においても、第１実施形態同様にジョイントパーツ１と耳鉉パーツ２とを掛合一体化して交換可能なテンプルを構成することができる。
【００２５】
『第３実施形態』
次に、本発明の第３実施形態を図８に基いて説明する。本実施形態では、耳鉉パーツ２の掛止部２２を括れ成形し、この掛止部２２にジョイントパーツ１の掛止パーツ１２の掴み部を嵌着するように構成されている。
【００２６】
本実施形態においても、第１および第２実施形態同様にジョイントパーツ１と耳鉉パーツ２とを掛合一体化して交換可能なテンプルを構成することができる。
【００２７】
『第４実施形態』
次に、本発明の第４実施形態を図９および図１０に基いて説明する。本実施形態では、耳鉉パーツ２の基端部２３には掛止スリット２３ａが形成されており、この掛止スリット２３ａをジョイントパーツ１の掛合受部１３に挟み掛合した。
【００２８】
本実施形態においても、第１〜第３実施形態同様にジョイントパーツ１と耳鉉パーツ２とを掛合一体化して交換可能なテンプルを構成することができる。
【００２９】
また、上記第１〜第４実施形態共に、必要に応じて、耳鉉パーツ２の軸心内部に補強用の芯金部材を封入することができ、剛性を高めることができる。
【００３０】
本発明の実施形態は概ね上記のように構成されるが、本発明は図示の実施形態に限定されるものでは決してなく、「特許請求の範囲」の記載内において種々の変更が可能であって、例えば、ジョイントパーツ１の使用材料は金属線材（ニッケル・チタン系超弾性合金や洋白など）や弾性プラスチックを採用することも可能であり、バネ部１４は、掛合受部１３と掛止フック１２との両部材の間に圧縮方向へ付勢するものであれば、図示のものに限らず、コイルばね状であっても良い。
【００３１】
また、ジョイントパーツ１と耳鉉パーツ２とが掛合するものであれば、図１１で示すように掛合受部１３をロウ付けして、基端部２３を挿嵌できるように形成したものであっても良く、更にまた、上記実施形態において説明したジョイントパーツ１の掛合受部１３に前記耳鉉パーツ２の基端部２３が挿嵌して、かつ、掛止パーツ１２と掛止部２２とが掛合する組み合わせはそれぞれ変更することができる。
【００３２】
更にまた、耳鉉パーツ２の使用材料はプラスチック材料、特に、セルロースアセテート樹脂に限らず、同セルロース系樹脂であるセルロースプロピオネート樹脂、またはポリプロピレン樹脂やポリエチレン樹脂などを使用しても良く、更には、アルミニウムやチタン、マグネシウムなどの金属合金、セラミック、木材、竹、べっ甲、貴金属などを採用することができ、何れのものも本発明の技術的範囲に属する。
【００３３】
【発明の効果】
以上、実施形態をもって説明したとおり、本発明にあっては、テンプルをジョイントパーツと耳鉉パーツとの連結式に構成し、ジョイントパーツが簡単かつ確実に耳鉉パーツを着脱できるように構成したことにより、構造を簡素化して組立労力や製造コストを削減できると共に、ＴＰＯに合わせて、気軽に模様替えすることができることから、眼鏡における実用的利用価値は頗る高いものがある。
【図面の簡単な説明】
【図１】本発明の第１実施形態の眼鏡の全体斜視図である。
【図２】本発明の第１実施形態を表わす部分上面図である。
【図３】本発明の第１実施形態を表わす側面図である。
【図４】本発明の第１実施形態の変形例を表わす部分上面図である。
【図５】本発明の第１実施形態の変形例を表わす側面図である。
【図６】本発明の第２実施形態を表わす部分上面図である。
【図７】本発明の第２実施形態を表わす部分上面図である。
【図８】本発明の第３実施形態の眼鏡の全体斜視図である。
【図９】本発明の第４実施形態を表わす部分上面図である。
【図１０】本発明の第４実施形態を表わす側面図である。
【図１１】本発明の実施形態の変形例の眼鏡の全体斜視図である。
【符号の説明】
１　　ジョイントパーツ
１１　連結部材
１２　掛止パーツ
１３　掛合受部
１４　バネ部
２　　耳鉉パーツ
２１　耳掛部
２２　掛止部
２２ａ　掛止孔
２２ｂ　掛止突起
２３　基端部
２３ａ　掛止スリット
Ｆ　　フロント枠
Ｌ　　レンズ
【図１】
2004117495.tif 000003
【図２】
2004117495.tif 000004
【図３】
2004117495.tif 000005
【図４】
2004117495.tif 000006
【図５】
2004117495.tif 000007
【図６】
2004117495.tif 000008
【図７】
2004117495.tif 000009
【図８】
2004117495.tif 000010
【図９】
2004117495.tif 000011
【図１０】
2004117495.tif 000012
【図１１】
2004117495.tif 000013